(57)【要約】    【課題】  本発明の目的は、浴槽水循環開始時のスライム・スケール類による湯の汚れを防止し雑菌の発生を抑制できる浴槽の循環配管洗浄装置を提供することにある。    【解決手段】  浴槽２に穿設した２個の通水口５ａ、５ｂと循環ポンプ１３の吸入側と吐出側にそれぞれ洗浄ボール捕捉装置１０，１１を配置する。また、循環配管７，８を通水する浴槽水の流向を切替える三方切替弁１４，１５を設ける。通水口５ａと循環ポンプ１３の吸入側に配置した一対の洗浄ボール捕捉装置６ａ、１０間および通水口５ｂと循環ポンプ１３の吐出側に配置した一対の洗浄ボール捕捉装置６ｂ、１１間に洗浄ボール１２ａ、１２ｂを往復移動させる。【選択図】  図１
2005124598.tif 000002
【特許請求の範囲】
【請求項１】
第１の通水口と第２の通水口の間を浴槽水が循環ポンプにより循環配管を介して循環される浴槽と、前記循環配管に設けられ前記浴槽水の異物を除去するフィルタと、前記浴槽の第１の通水口に設けられた第１の洗浄ボール捕捉装置と、前記浴槽の第２の通水口に設けられた第２の洗浄ボール捕捉装置と、前記循環ポンプの吸入側に設けられ、前記浴槽水の流向を切替える第１の流向切替弁と、前記循環ポンプの吐出側に設けられ、前記浴槽水の流向を切替える第２の流向切替弁と、前記第１の流向切替弁の浴槽側に設けられた第３の洗浄ボール捕捉装置と、前記第２の流向切替弁の浴槽側に設けられた第４の洗浄ボール捕捉装置と、前記第１の洗浄ボール捕捉装置と前記第３の洗浄ボール捕捉装置の間を前記浴槽水の流向に沿って移動する第１の洗浄ボールと、前記第２の洗浄ボール捕捉装置と前記第４の洗浄ボール捕捉装置の間を前記浴槽水の流向に沿って移動する第２の洗浄ボールとを具備することを特徴とする浴槽の循環配管洗浄装置。
【請求項２】
底面に第１と第２の通水口が穿設された浴槽と、前記浴槽の浴槽水を前記第１の通水口から導水し前記第２の通水口から戻すように循環させる循環配管と、前記浴槽水を前記循環配管を介して循環させる循環ポンプと、前記循環ポンプの吐出側に設けられ前記浴槽水の異物を除去するフィルタと、前記浴槽の第１の通水口に設けられた第１の洗浄ボール捕捉装置と、前記浴槽の第２の通水口に設けられた第２の洗浄ボール捕捉装置と、前記循環ポンプの吸入側に設けられ、前記浴槽水の通水方向を切替える第１の三方切替弁と、前記循環ポンプの吐出側に設けられ、前記浴槽水の通水方向を切替える第２の三方切替弁と、前記第１の三方切替弁の浴槽側に設けられた第３の洗浄ボール捕捉装置と、前記第２の三方切替弁の浴槽側に設けられた第４の洗浄ボール捕捉装置と、前記第１の洗浄ボール捕捉装置と前記第３の洗浄ボール捕捉装置の間を前記浴槽水の通水方向に沿って移動する第１の洗浄ボールと、前記第２の洗浄ボール捕捉装置と前記第４の洗浄ボール捕捉装置の間を前記浴槽水の通水方向に沿って移動する第２の洗浄ボールとを具備することを特徴とする浴槽の循環配管洗浄装置。
【発明の詳細な説明】
【技術分野】
【０００１】
本発明は浴槽水を循環ポンプにより循環配管を介して循環させる浴槽の循環配管洗浄装置に関する。
【背景技術】
【０００２】
【特許文献１】特開平８−１３１５２３号公報
【０００３】
一般に、温泉旅館、スーパー銭湯、健康ランドなどの比較的大きな浴槽は浴槽水（温水）を有効利用するために循環浄化処理している。浴槽水の循環は浴槽の底面に穿設した２つの通水口を循環配管で接続し循環ポンプで行うようにしている。循環ポンプや循環配管などで構成される循環系統には毛髪、タオル布屑、ゴミなどの異物を除去するフィルタが設けられる。また、レオネジラ菌などの雑菌の増殖を抑制するために塩素注入処理も行われる。
【０００４】
このように浴槽の浴槽水を循環浄化処理して再利用することは上記特許文献１に記載されている。
【０００５】
ところで、通常、浴槽の湯（浴槽水）は１日に１回取替えが行われ、その際に浴槽を洗浄している。浴槽の湯取替えと洗浄は浴槽水循環を停止して行われる。循環配管内は簡単に洗浄できないために年に１回程度洗浄剤を注入して洗浄しているのが実情である。循環配管内の洗浄剤による洗浄は浴槽に洗浄剤の影響を与えないようにするために作業が極めて面倒であり、多くの時間を要する。
【発明の開示】
【発明が解決しようとする課題】
【０００６】
循環配管内は浴槽のように頻繁に洗浄できないために、循環配管内に付着したスライム・スケール類が成長する。浴槽を洗浄した後に湯を張り循環ポンプを起動して浴槽水循環が行われる。循環配管内に付着したスライム・スケール類は浴槽水循環を開始すると管内から剥がされて浴槽内に流入し奇麗な湯（浴槽水）を汚してしまうという問題点を有する。特に、循環ポンプの吐出側循環配管から剥がされたスライム・スケール類が浴槽内に流入するようになる。
【０００７】
また、循環配管内にスライムが付着すると、雑菌の発生という問題を惹起している。
【０００８】
本発明の目的は、浴槽水循環開始時のスライム・スケール類による湯の汚れを防止し雑菌の発生を抑制できる浴槽の循環配管洗浄装置を提供することにある。
【課題を解決するための手段】
【０００９】
本発明の特徴とするところは、浴槽に穿設した２個の通水口と循環ポンプの吸入側と吐出側にそれぞれ洗浄ボール捕捉装置を配置すると共に循環配管を通水する浴槽水の流向を切替える流向切替弁を設け、一方の通水口と循環ポンプの吸入側に配置した一対の洗浄ボール捕捉装置間および他方の通水口と循環ポンプの吐出側に配置した一対の洗浄ボール捕捉装置間に洗浄ボールを往復移動させるようにしたことにある。なお、循環配管の洗浄は浴槽の浴槽水を換水する前に行われる。
【００１０】
換言すると、本発明は一対の洗浄ボール捕捉装置間に洗浄ボールを往復移動させ、循環配管の順洗と逆洗を行うようにしたことにある。
【００１１】
本発明に用いる洗浄ボールは、見かけ上の比重が略１になる独立気泡を含むセラミックや天然ゴムなどで構成されたスポンジボールで、循環配管の内径よりも僅かに大きい径のものが望ましい。
【発明の効果】
【００１２】
本発明は洗浄ボールを往復移動させるという簡単な操作で循環配管を洗浄できるので循環配管内にスライム・スケール類が付着するのを防止できる。したがって、浴槽水循環開始時のスライム・スケール類による湯の汚れを防止し、かつ雑菌の発生を抑制することができる。
【００１３】
また、洗浄ボールは摩耗等を生じても環境に悪影響を与えない無害な独立気泡を含むセラミック製や天然ゴム製などの材質で構成することにより環境に悪影響を与えることなく洗浄できる。
【発明を実施するための最良の形態】
【００１４】
浴槽は底面に第１と第２の通水口が穿設されている。両通水口は浴槽水を第１の通水口から導水し第２の通水口から戻すように循環させる循環配管で連結されている。循環配管には浴槽水を循環させる循環ポンプが設けられている。浴槽水の異物を除去するフィルタは循環ポンプの吐出側に設けられる。浴槽の第１、第２の通水口にはそれぞれ第１、第２の洗浄ボール捕捉装置が設けられている。循環ポンプの吸入側と吐出側に浴槽水の通水方向を切替える第１、第２の三方切替弁が設けられている。循環ポンプ吸入側に設けた第１の三方切替弁の浴槽側に第３の洗浄ボール捕捉装置が設けられ、また、循環ポンプ吐出側に設けた第２の三方切替弁の浴槽側に第４の洗浄ボール捕捉装置が設けられている。第１の洗浄ボールは第１の洗浄ボール捕捉装置と第３の洗浄ボール捕捉装置の間を浴槽水の通水方向に沿って移動し、第２の洗浄ボールは第２の洗浄ボール捕捉装置と第４の洗浄ボール捕捉装置の間を浴槽水の通水方向に沿って移動する。第１、第２の三方切替弁によって浴槽水の通水方向を変える。
【実施例】
【００１５】
図１に本発明の一実施例を示す。
図１において、浴場１には浴槽２と複数のシャワー３が設けられている。浴槽２は蛇口４から給水（給湯）される。浴槽２の底面には２個の通水口５ａ、５ｂが穿設されている。通水口５ａを第１の通水口、通水口５ｂを第２の通水口とする。第１の通水口５ａには第１の洗浄ボール捕捉装置６ａが設けられ、また、第２の通水口５ｂには第２の洗浄ボール捕捉装置６ｂが設けられている。洗浄ボール捕捉装置６ａ、６ｂは多数の孔が穿設されている底空き長方体形状に構成されている。洗浄ボール捕捉装置６ａ、６ｂは通水口５ａ、５ｂを蓋するように設けられている。
【００１６】
通水口５ａには洗浄配管７の一端が接続され、通水口５ｂには洗浄配管８の一端が接続されている。洗浄配管８には排水弁９が接続されている。洗浄配管７の他端には第３の洗浄ボール捕捉装置１０が接続され、洗浄配管８の他端には第４の洗浄ボール捕捉装置１１が接続されている。洗浄ボール捕捉装置１０、１１はメッシュ状の捕捉網１０ａ、１１ａを備えている。捕捉網１０ａ、１１ａはメッシュの大きさが洗浄ボール１２ａ，１２ｂの径より小さく形成されている。
【００１７】
洗浄ボール１２ａ，１２ｂは、見かけ上の比重が略１になる独立気泡を含むセラミックや天然ゴムなどで構成されたスポンジボールで、循環配管７，８の内径よりも僅かに大きい径に形成されている。循環ポンプ１３の吸入側（図示右側）には浴槽水の通水方向（流向）を切替える第１の三方切替弁１４が設けられている。また、循環ポンプ１３の吐出側（図示左側）には浴槽水の通水方向（流向）を切替える第２の三方切替弁１５が設けられている。三方切替弁１４、１５は電動弁で３角の黒塗りが閉している状態を示している。
【００１８】
洗浄ボール捕捉装置１０は三方切替弁１４の浴槽側に設けられ、洗浄ボール捕捉装置１１は三方切替弁１５の浴槽側に設けられる。循環ポンプ１３の吐出側には止水弁１６を介して積層フィルタ１７が設けられている。積層フィルタ１７の洗浄系は図示を省略している。
【００１９】
なお、図１においては、塩素などの薬品注入系は本発明に直接関係ないので図示を省略している。
【００２０】
この構成において、浴槽２の使用時には止水弁１６を開状態、三方切替弁１４、１５を図１の状態にして循環ポンプ１３を運転する。浴槽２の浴槽水は通水口５ａから導水され、循環配管７、洗浄ボール捕捉装置１０、三方切替弁１４、循環ポンプ１３、止水弁１６、積層フィルタ１７、三方切替弁１５、洗浄ボール捕捉装置１１、循環配管８を介して通水口５ｂから浴槽２に戻される。浴槽水は矢印方向に通水しフィルタ１７で異物を除去され循環浄化処理される。洗浄ボール１２ａ、１２ｂは浴槽水を循環浄化処理しているとき洗浄ボール捕捉装置１０と６ｂに捕捉されている。
【００２１】
浴槽２の浴槽水を換水する前に循環配管７，８を洗浄する。循環配管７，８を洗浄するには三方切替弁１４，１５を図２の状態に切替える。浴槽水は図２の矢印方向に通水する。洗浄ボール１２ａは洗浄ボール捕捉装置１０から浴槽水の通水方向に移動し循環配管７を通り洗浄ボール捕捉装置６ａに捕捉される。また、洗浄ボール１２ｂは洗浄ボール捕捉装置６ｂから循環配管８を通り洗浄ボール捕捉装置１５に捕捉される。
【００２２】
図２に示すように、洗浄ボール１２ａが洗浄ボール捕捉装置６ａに捕捉され、洗浄ボール１２ｂが洗浄ボール捕捉装置１５に捕捉された状態になると三方切替弁１４，１５を図１の状態に切替える。洗浄ボール１２ａは洗浄ボール捕捉装置６ａから浴槽水の通水方向に移動し循環配管７を通り洗浄ボール捕捉装置１０に捕捉され、また、洗浄ボール１２ｂは洗浄ボール捕捉装置１５から循環配管８を通り洗浄ボール捕捉装置６ｂに捕捉される。
【００２３】
三方切替え弁１４、１５の切替えによって、洗浄ボール１２ａは循環配管７の一端から他端の間を往復移動し、洗浄ボール１２ｂは循環配管８の一端から他端の間を往復移動する。洗浄ボール１２ａは循環配管７内のスライム・スケール類の付着物を掻き落し、洗浄ボール１２ｂは循環配管８内の付着物を掻き落し洗浄する。洗浄ボール１２ａ、１２ｂの往復移動は１０回程度行われる。
【００２４】
このようにして循環配管７、８の洗浄が終了すると循環ポンプ１３運転を停止し止水弁１６を閉じて排水弁９を開して浴槽水を排水する。その後、浴槽２に新たな湯と水が給湯（給水）される。
【００２５】
このようにして浴槽水の循環配管を洗浄するのであるが、洗浄ボールを往復移動させるという簡単な操作で循環配管を洗浄できるので循環配管内にスライム・スケール類が付着するのを防止できる。したがって、浴槽水循環開始時のスライム・スケール類による湯の汚れを防止し、かつ雑菌の発生を抑制することができる。
【００２６】
また、洗浄ボールは摩耗等を生じても環境に悪影響を与えない無害な独立気泡を含むセラミック製や天然ゴム製などの材質で構成することにより環境に悪影響を与えることなく洗浄できる。
【００２７】
なお、上述の実施例は１個の洗浄ボールで循環配管を洗浄している例を挙げているが、複数個の洗浄ボールを用いてもよいことは明らかなことである。
【図面の簡単な説明】
【００２８】
【図１】本発明の一実施例を示す構成図である。
【図２】本発明を説明するための構成図である。
【符号の説明】
【００２９】
１…浴場、２…浴槽、３…シャワー、４…蛇口、５ａ、５ｂ…通水口、６ａ、６ｂ、１０，１１…洗浄ボール捕捉装置、７、８…循環配管、９…排水弁、１２…洗浄ボール、１３…循環ポンプ、１４，１５…三方切替弁、１６…止水弁、１７…積層フィルタ。
【図１】
2005124598.tif 000003
【図２】
2005124598.tif 000004